(57)【特許請求の範囲】
【請求項１】
第１の種類の複数のデータを表示するための第１の表示エリアと、
前記第１の種類とは異なる第２の種類の複数のデータを表示するための第２の表示エリアと、
前記第１の表示エリアに表示されているデータのうちの何れかが選択されると、前記第２の表示エリアに表示されているデータのうち、前記選択されたデータとの紐付け関係を有するデータを表示し、前記第２の表示エリアに表示されているデータのうちの何れかが選択されると、前記第１の表示エリアに表示されているデータのうち、前記選択されたデータとの紐付け関係を有するデータを表示する第３の表示エリアと、
を備える装置。
【請求項２】
前記第１の表示エリアに表示されているデータのうちの何れかが選択された場合、前記第２の表示エリアに表示されているデータのうち、前記選択されたデータとの紐付け関係を有するデータが前記第３の表示エリアに表示された状態から、前記第３の表示エリアに表示されているデータを、前記第３の表示エリアにおいて非表示にすることによって、この紐付け関係を解除することでき、前記第２の表示エリアに表示されているデータのうち、前記第３の表示エリアに表示されていないデータを、前記第３の表示エリアにおいて表示させることによって、この表示されたデータを、前記紐付け関係に加えることができる一方、前記第２の表示エリアに表示されているデータのうちの何れかが選択された場合、前記第１の表示エリアに表示されているデータのうち、前記選択されたデータとの紐付け関係を有するデータが前記第３の表示エリアに表示された状態から、前記第３の表示エリアに表示されているデータを、前記第３の表示エリアにおいて非表示にすることによって、この紐付け関係を解除することでき、前記第１の表示エリアに表示されているデータのうち、前記第３の表示エリアに表示されていないデータを、前記第３の表示エリアにおいて表示させることによって、この表示されたデータを、前記紐付け関係に加える、紐付け関係設定手段、をさらに備えた請求項１に記載の装置。
【請求項３】
第１の種類の複数のデータを第１の表示エリアから表示させる機能、
前記第１の種類とは異なる第２の種類の複数のデータを第２の表示エリアから表示させる機能、
前記第１の表示エリアに表示されているデータのうちの何れかが選択されると、前記第２の表示エリアに表示されているデータのうち、前記選択されたデータとの紐付け関係を有するデータを第３の表示エリアから表示させ、前記第２の表示エリアに表示されているデータのうちの何れかが選択されると、前記第１の表示エリアに表示されているデータのうち、前記選択されたデータとの紐付け関係を有するデータを前記第３の表示エリアから表示させる機能、
をコンピュータに実現させるためのプログラム。
【請求項４】
請求項３に記載のプログラムにおいて、
前記第１の表示エリアに表示されているデータのうちの何れかが選択された場合、前記第２の表示エリアに表示されているデータのうち、前記選択されたデータとの紐付け関係を有するデータが前記第３の表示エリアに表示された状態から、前記第３の表示エリアに表示されているデータを、前記第３の表示エリアにおいて非表示にすることによって、この紐付け関係を解除することでき、前記第２の表示エリアに表示されているデータのうち、前記第３の表示エリアに表示されていないデータを、前記第３の表示エリアにおいて表示させることによって、この表示されたデータを、前記紐付け関係に加えることができる一方、前記第２の表示エリアに表示されているデータのうちの何れかが選択された場合、前記第１の表示エリアに表示されているデータのうち、前記選択されたデータとの紐付け関係を有するデータが前記第３の表示エリアに表示された状態から、前記第３の表示エリアに表示されているデータを、前記第３の表示エリアにおいて非表示にすることによって、この紐付け関係を解除することでき、前記第１の表示エリアに表示されているデータのうち、前記第３の表示エリアに表示されていないデータを、前記第３の表示エリアにおいて表示させることによって、この表示されたデータを、前記紐付け関係に加える機能、
をさらに前記コンピュータに実行させるためのプログラム。
【発明の詳細な説明】
【技術分野】
【０００１】
本発明は、例えばデータ処理のために、異なる２つの種類のデータの紐付け関係を設定するための装置およびプログラムに関するものである。
【背景技術】
【０００２】
従来、例えばデータ処理のために、異なる２つの種類のデータの紐付け関係を設定する場合、何れか一方の種類のデータを主とし、他方の種類のデータを従として設定する必要がある。
【０００３】
例えば、企業グループ内で保有している事業に関するデータを把握するシステムを構築する場合、まず、会社一覧というデータと、事業一覧というデータとからなる２種類のデータを取り扱うようにシステムを設計し、さらに、どちらのデータを主とし、どちらのデータを従とするのかを設定する。
【０００４】
例えば、各会社に、運営している事業を紐付けるようにシステムを設定する場合、会社のデータを主とし、事業のデータを従とする設定を行う。逆に、各事業毎に、その事業を行っている会社を設定する場合、事業のデータを主とし、会社のデータを従とする設定を行う。
【０００５】
図６は、会社のデータを主とし、事業のデータを従とする設定がなされたデータ処理システムによる画面表示例を示すものである。
【０００６】
データ処理システムが搭載されているパソコン等のディスプレイからは、第１の種類の複数のデータである会社一覧を表示するための第１の表示エリア１００と、第１の種類とは異なる第２の種類の複数のデータである事業一覧を表示するための第２の表示エリア２００とが表示される。
【０００７】
第１の表示エリア１００には、会社名と、各会社が行っている事業が紐付けられて表示されている。例えば、図６の例は、このシステムの中で、「アバントン」には「金融」が、「ディーバン」には「ソフトウェア」と「金融」とが、「ＤＢＩＴ」には「ソフトウェア」と「人材派遣」とがそれぞれ紐付けられていることを示している。
【０００８】
ユーザは、キーボードやマウス等の入力デバイスを用いて、紐付け関係を変更することができる。
【０００９】
例えば、現在、「金融」しか紐付けられていない「アバントン」に、「ソフトウェア」も紐付けたい場合、図７（ａ）に示すように、表示エリア１００における「アバントン」をマウスでクリックすることによってアクティブにし（アクティブにされていることを、図中では、斜線を用いて示している）、さらに、図７（ｂ）に示すように、表示エリア２００から「ソフトウェア」を、表示エリア１００内にドラッグすることによって、「アバントン」に新たに「ソフトウェア」をも紐付けるように、システムの設定を更新することができる。
【００１０】
逆に、「ソフトウェア」と「金融」とが紐付けられている「ディーバン」から金融の紐付けを解除する場合、図示しないが、表示エリア１００における「ディーバン」をマウスでクリックすることによってアクティブにし、「ディーバン」に紐付けられて表示されている「金融」を、表示エリア１００内から表示エリア１００外にドラッグすることによって、「ディーバン」から「金融」の紐付けを解除するように、システムの設定を変更することができる。
【先行技術文献】
【特許文献】
【００１１】
【特許文献１】特開２０１４−１４６２５５号公報
【特許文献２】特開２０１３−１９６１９６号公報
【特許文献３】特開２００９−０１５４５５号公報
【発明の概要】
【発明が解決しようとする課題】
【００１２】
しかしながら、このような従来の紐付け設定では、以下のような問題がある。
【００１３】
すなわち、このような従来の紐付け設定が適用されているデータ処理システムでは、前述したように、ディスプレイ等に表示された画面を参照しながら、主となるデータと、従となるデータとの紐付け関係を、任意に設計したり、変更したりすることができる。
【００１４】
しかしながら、主となるデータと、従となるデータとの関係は、いったん設定されると、変更することはできない。すなわち、主従関係を逆転させることはできない。
【００１５】
例えば、従来技術では、図６の例を用いて説明すると、「会社」と「事業」との紐付けを、会社側から事業を紐付けることによってしか設定できず、事業側から逆に会社を紐付けることによって設定するようなことはできない。
【００１６】
したがって、例えば、データ設定のメンテナンス時の内容確認等のために、「事業」別に会社との紐付け関係を確認したいような場合、表示エリア１００に表示された各会社に紐付けられた事業をユーザが目視で確認するしかなかった。この場合、図６の例に示すように、３つの会社しか表示されていないのであれば、ユーザの負荷もさほど大きくはないが、表示エリア１００に多数の会社が表示されていれば、ユーザの負担は膨大となり、目視による確認は容易ではないばかりか、誤確認の可能性も高くなるという問題がある。
【００１７】
本発明はこのような事情に鑑みてなされたものであり、異なる２種類のデータ間の主従関係を、ユーザの所望する任意のタイミングで切り替え可能とすることによって、これら２種類のデータ間の紐付け関係を、所望するデータ側から確認、追加、解除等できるようにし、もって、ユーザの利便性をより向上させることが可能な、紐付け関係を設定するための装置およびプログラムを提供することを目的とする。
【課題を解決するための手段】
【００１８】
上記の目的を達成するために、本発明では、以下のような手段を講じる。
【００２０】
また、請求項１の発明は、第１の表示エリアと、第２の表示エリアと、第３の表示エリアとを備える装置である。第１の表示エリアは、第１の種類の複数のデータを表示する。第２の表示エリアは、第１の種類とは異なる第２の種類の複数のデータを表示する。第３の表示エリアは、第１の表示エリアに表示されているデータのうちの何れかが選択されると、第２の表示エリアに表示されているデータのうち、選択されたデータとの紐付け関係を有するデータを表示し、第２の表示エリアに表示されているデータのうちの何れかが選択されると、第１の表示エリアに表示されているデータのうち、選択されたデータとの紐付け関係を有するデータを表示する。
【００２１】
さらに、請求項２の発明は、請求項１に記載の装置においてさらに、紐付け関係設定手段を備えた装置である。紐付け関係設定手段は、第１の表示エリアに表示されているデータのうちの何れかが選択された場合、第２の表示エリアに表示されているデータのうち、選択されたデータとの紐付け関係を有するデータが第３の表示エリアに表示された状態から、第３の表示エリアに表示されているデータを、第３の表示エリアにおいて非表示にすることによって、この紐付け関係を解除することでき、第２の表示エリアに表示されているデータのうち、第３の表示エリアに表示されていないデータを、第３の表示エリアにおいて表示させることによって、この表示されたデータを、紐付け関係に加えることができる。一方、第２の表示エリアに表示されているデータのうちの何れかが選択された場合、第１の表示エリアに表示されているデータのうち、選択されたデータとの紐付け関係を有するデータが第３の表示エリアに表示された状態から、第３の表示エリアに表示されているデータを、第３の表示エリアにおいて非表示にすることによって、この紐付け関係を解除することでき、第１の表示エリアに表示されているデータのうち、第３の表示エリアに表示されていないデータを、第３の表示エリアにおいて表示させることによって、この表示されたデータを、紐付け関係に加える。
【００２２】
請求項３および請求項４の発明は、請求項１および請求項２の装置に対応するプログラムである。
【発明の効果】
【００２３】
本発明の紐付け関係を設定するための装置およびプログラムによれば、異なる２種類のデータ間の主従関係を、ユーザの所望する任意のタイミングで切り替えることができる。これによって、これら２種類のデータ間の紐付け関係を、所望するデータ側から確認、追加、解除等できるようになるので、ユーザの利便性をより向上させることが可能となる。
【図面の簡単な説明】
【００２４】
【図１】本発明の実施形態に係る紐付け関係を設定するためのプログラムが組み込まれた装置の構成例を示すブロック図である。
【図２】本発明の実施形態に係る紐付け関係を設定するためのプログラムが組み込まれた装置のディスプレイから表示される表示画面の一例を示す概念図である。
【図３】左表示エリアに表示されたデータ側に対する紐付け関係設定時における同表示画面の一例を示す概念図である。
【図４】右表示エリアに表示されたデータ側に対する紐付け関係設定時における同表示画面の一例を示す概念図である。
【図５】本発明の実施形態に係る紐付け関係を設定するためのプログラムが組み込まれた装置の動作を示すフローチャートである。
【図６】従来のデータ処理システムによる画面表示例を示す図である。
【図７】従来のデータ処理システムにおける紐付け関係設定を説明するための図である。
【発明を実施するための形態】
【００２５】
以下に、本発明の実施形態に係る紐付け関係を設定するための装置および表示画面を、図面を参照して説明する。
【００２６】
図１は、本発明の実施形態に係る紐付け関係を設定するためのプログラムが組み込まれた装置の構成例を示すブロック図である。
【００２７】
この紐付け関係設定装置１０は、パソコンを含むコンピュータや、タブレット、スマートフォン等によって構成され、入力デバイス２０と、ディスプレイ３０と、エリア表示制御部４０と、紐付け関係設定部５０と、データベース６０とを備えている。
【００２８】
また、エリア表示制御部４０は、左表示エリア表示制御部４２と、紐付けエリア表示制御部４４と、右表示エリア表示制御部４６とを備えている。
【００２９】
さらに、データベース６０は、左表示エリアリストテーブル６２と、紐付け設定テーブル６４と、右表示エリアリストテーブル６６とを格納している。
【００３０】
また、図２は、本発明の実施形態に係る紐付け関係を設定するためのプログラムが組み込まれた装置のディスプレイ３０から表示される表示画面の一例を示す概念図である。この表示画面は、左表示エリア７２と、右表示エリア７６と、その中心に配置された紐付けエリア７４とを備えてなる。
【００３１】
一例として、左表示エリア７２には、会社一覧として、「アバントン」、「ディーバン」、「ＤＢＩＴ」といった会社名が表示されている。また、右表示エリア７６には、事業一覧として、「ソフトウェア」、「人材派遣」、「金融」といった事業名が表示されている。
【００３２】
入力デバイス２０は、この紐付け関係設定装置１０がパソコンであればキーボードやマウスに相当し、この紐付け関係設定装置１０がタブレットやスマートフォンであればタッチパネル等に相当する。
【００３３】
左表示エリア表示制御部４２は、紐付け関係設定部５０からの指示にしたがって、図２に例示するように、第１の種類の複数のデータを表示するための左表示エリア７２を、ディスプレイ３０から表示させるための表示制御を行う。
【００３４】
右表示エリア表示制御部４６は、紐付け関係設定部５０からの指示にしたがって、図２に例示するように、第１の種類とは異なる第２の種類の複数のデータを表示するための右表示エリア７６を、ディスプレイ３０から表示させるための表示制御を行う。
【００３５】
紐付けエリア表示制御部４４は、紐付け関係設定部５０からの指示にしたがって、左表示エリア７２に表示されているデータと、右表示エリア７６に表示されているデータとの紐付け関係を表示するための紐付けエリア７４を、ディスプレイ３０から表示させるための表示制御を行う。
【００３６】
具体的には、紐付けエリア表示制御部４４は、入力デバイス２０によって、左表示エリア７２に表示されているデータのうちの何れかが選択されると、紐付け関係設定部５０からの指示にしたがって、右表示エリア７６に表示されているデータのうち、選択されたデータとの紐付け関係を有するデータを表示する紐付けエリア７４を、ディスプレイ３０から表示させるための表示制御を行う。逆に、入力デバイス２０によって、右表示エリア７６に表示されているデータのうちの何れかが選択されると、紐付け関係設定部５０からの指示にしたがって、左表示エリア７２に表示されているデータのうち、選択されたデータとの紐付け関係を有するデータを表示する紐付けエリア７４を、ディスプレイ３０から表示させるための表示制御を行う。
【００３７】
紐付け関係設定部５０は、データベース６０に格納されている左表示エリアリストテーブル６２の内容に基づいて、左表示エリア表示制御部４２に対して、ディスプレイ３０の左表示エリア７２から、第１の種類の複数のデータを表示させる。図２のように、左表示エリア７２に、会社一覧として「アバントン」、「ディーバン」、「ＤＢＩＴ」といった会社名が表示されているのは、左表示エリアリストテーブル６２に、これらデータが書き込まれているからである。
【００３８】
紐付け関係設定部５０はまた、データベース６０に格納されている右表示エリアリストテーブル６６の内容に基づいて、右表示エリア表示制御部４６に対して、ディスプレイ３０の右表示エリア７６から、第２の種類の複数のデータを表示させる。図２のように、右表示エリア７６に、事業一覧として「ソフトウェア」、「人材派遣」、「金融」といった事業名が表示されているのは、右表示エリアリストテーブル６６に、これらデータが書き込まれているからである。
【００３９】
紐付け関係設定部５０はさらに、入力デバイス２０からの選択情報に応じて、データベース６０に格納されている紐付け設定テーブル６４の内容に基づいて、紐付けエリア表示制御部４４に対して、ディスプレイ３０の紐付けエリア７４から、第１の種類のデータと、第２の種類のデータとの紐付け関係を表示させる。
【００４０】
紐付け設定テーブル６４は、第１の種類のデータと、第２の種類のデータとの紐付け関係を定義したテーブルである。例えば第１の種類が会社一覧であり、第２の種類が事業一覧であり、第１の種類に含まれる「アバントン」には、「金融」が紐付けられ、「ディーバン」には、「ソフトウェア」と「金融」とが紐付けられ、「ＤＢＩＴ」には、「ソフトウェア」と「人材派遣」とが紐付けられているといった紐付け関係が定義されている。
【００４１】
紐付け関係設定部５０は、例えば、入力デバイス２０によって、左表示エリア７２に表示されている何れかのデータ（例えば、「アバントン」）が選択された場合、紐付け設定テーブル６４の内容に基づいて、右表示エリア７６に表示されているデータのうち、この選択されたデータに紐付けられているデータ（例えば、「金融」）を、紐付けエリア７４から表示するように、紐付けエリア表示制御部４４を制御する。
【００４２】
紐付け関係設定部５０はその逆に、例えば、入力デバイス２０によって、右表示エリア７６に表示されている何れかのデータ（例えば、「ソフトウェア」）が選択された場合、紐付け設定テーブル６４の内容に基づいて、左表示エリア７２に表示されているデータのうち、この選択されたデータに紐付けられているデータ（例えば、「ディーバン」、「ＤＢＩＴ」）を、紐付けエリア７４から表示するように、紐付けエリア表示制御部４４を制御する。
【００４３】
さらに紐付け関係設定部５０は、以下のようにして、入力デバイス２０からの入力に応じて、紐付けの設定、解除、追加といった紐付け設定更新処理を、第１の種類のデータ側から行うことも、第２の種類のデータ側から行うことも可能としている。
【００４４】
すなわち、ユーザは、第１の種類のデータ側から、紐付けの設定を行う場合には、左表示エリア７２に表示されているデータから、対象とするデータを、入力デバイス２０を用いて指定する。これは、例えば、左表示エリア７２に表示されているデータのうち、対象とするデータが表示されている部分を、マウスでクリックしたり、タッチパネルから押圧することによってなされる。これに応じて、紐付け関係設定部５０は、指定されたデータをアクティブにするとともに、アクティブにされたデータに紐付けられているデータを、紐付け設定テーブル６４を参照することにより取得し、取得したデータを、紐付けエリア表示制御部４４に対して、紐付けエリア７４から表示させる。
【００４５】
図３（ａ）は、左表示エリア７２に表示されているデータのうち、「アバントン」が指定され、アクティブになるとともに、「アバントン」に現在紐付けられている「金融」が、紐付けエリア７４から表示されている状態を示している。
【００４６】
この状態から、ユーザは、入力デバイス２０を用いて、右表示エリア７６に表示されているデータから、新たに紐付けしたいデータを、紐付けエリア７４内にドラッグし、表示させる。図３（ｂ）は、紐付けエリア７４内に、「ソフトウェア」がドラッグされ、表示された状態を示している。これに応じて、紐付け関係設定部５０は、「アバントン」に、「ソフトウェア」の紐付けを追加する処理を行い、この処理に応じて紐付け設定テーブル６４を更新する。
【００４７】
逆に、紐付けの解除を行う場合には、ユーザは、入力デバイス２０を用いて、紐付けエリア７４に表示されているデータから、紐付けを解除したいデータを、紐付けエリア７４外にドラッグし、紐付けエリア７４において非表示にする。図３（ｃ）は、紐付けエリア７４内から紐付けエリア７４外へと「金融」がドラッグされ、紐付けエリア７４から表示されなくなった状態を示している。これに応じて、紐付け関係設定部５０は、「アバントン」に紐付けられていた「金融」を、「アバントン」から紐付け解除する処理を行い、この処理に応じて紐付け設定テーブル６４を更新する。
【００４８】
図４（ａ）〜（ｃ）は、第２の種類のデータ側から、紐付けの設定を行う場合を説明するための図である。第２の種類のデータ側からなされる紐付け設定は、図３（ａ）〜（ｃ）を用いて前述した内容の左右を逆にするだけであるので、ここでは詳細説明を省略し、図４（ａ）〜（ｃ）に対する簡単な説明にとどめる。
【００４９】
すなわち、図４（ａ）は、ユーザが、右表示エリア７６に表示されているデータのうち、「ソフトウェア」を指定することにより、「ソフトウェア」がアクティブとなり、「ソフトウェア」に紐付けられている「ディーバン」が紐付けエリア７４に表示された状態を示している。
【００５０】
図４（ｂ）は、ユーザが、新たに「ＤＢＩＴ」も「ソフトウェア」に紐付けるために、入力デバイス２０を用いて、左表示エリア７２に表示されている「ＤＢＩＴ」を、紐付けエリア７４内にドラッグし、表示させた状態を示している。
【００５１】
これに応じて、紐付け関係設定部５０は、「ＤＢＩＴ」に、「ソフトウェア」の紐付けを行う処理を行い、この処理に応じて紐付け設定テーブル６４を更新する。
【００５２】
図４（ｃ）は、「ディーバン」と「ソフトウェア」との紐付け関係を解除するために、ユーザが、入力デバイス２０を用いて、紐付けエリア７４に表示されていた「ディーバン」を、紐付けエリア７４外にドラッグし、紐付けエリア７４において非表示にした状態を示している。
【００５３】
これに応じて、紐付け関係設定部５０は、「ディーバン」と「ソフトウェア」との紐付けを解除する処理を行い、この処理に応じて紐付け設定テーブル６４を更新する。
【００５４】
次に、以上のように構成した本発明の実施形態に係る紐付け関係を設定するための装置の動作について説明する。
【００５５】
先ず、図５に示すフローチャートを用いて、紐付け設定時における動作について説明する。ここでは、一例として、第１の種類のデータ側（すなわち、左表示エリア７２）から紐付け設定をする場合における動作を図３（ａ）〜（ｃ）に示す表示画面とともに説明する。
【００５６】
装置１０が起動されると、紐付け関係設定部５０によって、データベース６０から、左表示エリアリストテーブル６２、および右表示エリアリストテーブル６６が読み出され、左表示エリア表示制御部４２、および右表示エリア表示制御部４６に送られる（Ｓ１）。
【００５７】
そして、図２に示されるように、左表示エリアリストテーブル６２に書き込まれている第１の種類のデータである会社のデータが左表示エリア表示制御部４２によって、左表示エリア７２から表示され、右表示エリアリストテーブル６６に書き込まれている第２の種類のデータである事業のデータが右表示エリア表示制御部４６によって、右表示エリア７６から表示される（Ｓ２）。
【００５８】
第１の種類のデータ側から紐付けの追加または解除を行う設定をする場合（Ｓ３：Ｙｅｓ）、ユーザは、左表示エリア７２に表示されているデータのうち、対象とするデータが表示されている部分を、マウスでクリックしたり、タッチパネルから押圧することによってデータを指定する（Ｓ４）。
【００５９】
一方、紐付けの追加も解除も行わない場合（Ｓ３：Ｎｏ）、処理は終了する。
【００６０】
一方、ステップＳ４においてデータが指定されると、図３（ａ）に示されるように、指定されたデータ（例えば、「アバントン」）が、紐付け関係設定部５０によってアクティブとされ、左表示エリア７２において強調表示される（図３では、この強調表示が斜線によって示されている）（Ｓ５）。さらに、アクティブとされたデータに紐付けられているデータ（例えば、「金融」）が、紐付け関係設定部５０によって、紐付け設定テーブル６４から認識され、紐付けエリア表示制御部４４による制御の下、紐付けエリア７４から表示される（Ｓ６）。
【００６１】
このように紐付けエリア７４から表示されたデータを見ることによって、ユーザは、ステップＳ４で指定された第１の種類のデータに紐付けられた第２の種類のデータを確認することができる。図３（ａ）の例を用いて説明すると、第１の種類のデータである「アバントン」という会社に、第２の種類のデータのうちの「金融」が紐付けられていることが確認される。
【００６２】
この状態から、ユーザは、さらなる紐付け設定をするのであれば（Ｓ７：Ｙｅｓ）、入力デバイス２０を用いて、右表示エリア７６に表示されているデータから、新たに紐付けしたいデータを、紐付けエリア７４内にドラッグし、表示させる（Ｓ８）。図３（ｂ）は、右表示エリア７６に表示されている「ソフトウェア」が、紐付けエリア７４内にドラッグされ、表示された例を示している。
【００６３】
これに応じて、紐付け関係設定部５０によって、ステップＳ４において指定されたデータへの、ステップＳ８において紐付けエリア７４内に表示されたデータの紐付けを追加する処理がなされ、この処理に応じて紐付け設定テーブル６４が更新される（Ｓ９）。図３（ｂ）の例を用いて説明すると、第１の種類のデータである「アバントン」という会社に、第２の種類のデータのうちの「金融」に加えてさらに、「ソフトウェア」も紐付けされる。これによって、紐付け追加設定処理が完了する。
【００６４】
引き続き紐付けの追加または解除を行う設定をする場合（Ｓ１０：Ｙｅｓ）には、ステップＳ７に戻り、そうでない場合（Ｓ１０：Ｎｏ）には処理を終了する。
【００６５】
一方、ステップＳ７において、ユーザは、紐付けの解除を行う場合には、入力デバイス２０を用いて、紐付けエリア７４に表示されているデータから、紐付けを解除したいデータを、紐付けエリア７４外にドラッグする（Ｓ１１）。
【００６６】
これによって、紐付けを解除されたデータは、紐付けエリア７４に表示されなくなる。例えば、図３（ｃ）は、「アバントン」と「金融」との紐付けを解除するために、紐付けエリア７４内から紐付けエリア７４外へと「金融」がドラッグされ、紐付けエリア７４から表示されなくなった状態を示している。
【００６７】
これに応じて、紐付け関係設定部５０によって、ステップＳ４において指定されたデータから、ステップＳ１２において紐付けエリア７４外にドラッグされたデータの紐付けを解除する処理がなされ、この処理に応じて紐付け設定テーブル６４が更新される（Ｓ１２）。これによって、紐付け解除設定処理が完了する。処理はその後、ステップＳ１１に移行する。
【００６８】
上記では、一例として、第１の種類のデータ側（すなわち、左表示エリア７２）から紐付け設定をする場合における動作を説明したが、当業者であれば、第２の種類のデータ側（すなわち、右エリア側７６）から紐付け設定する場合の動作も同様に理解することができるであろう。
【００６９】
上述したように、本発明の実施形態に係る紐付け関係を設定するための装置および表示画面によれば、上記のような作用により、異なる２種類のデータ間の主従関係を、ユーザの所望する任意のタイミングで切り替えることができる。これによって、これら２種類のデータ間の紐付け関係を、所望するデータ側から確認、追加、解除等できるようになるので、ユーザの利便性をより向上させることが可能となる。
【００７０】
例えば、企業グループ内で保有している事業を把握する場合、会社一覧と事業一覧という２種類のデータがあり、各会社に、運営している事業を紐付けする設定も、各事業に、その事業を運営している会社を紐付けする設定もできるように、どちらの視点からも紐付け設定処理を行うことが可能となる。
【００７１】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【符号の説明】
【００７２】
１０  紐付け関係設定装置
２０  入力デバイス
３０  ディスプレイ
４０  エリア表示制御部
４２  左表示エリア表示制御部
４４  紐付けエリア表示制御部
４６  右表示エリア表示制御部
５０  紐付け関係設定部
６０  データベース
６２  左表示エリアリストテーブル
６４  紐付け設定テーブル
６６  右表示エリアリストテーブル
７２  左表示エリア
７４  紐付けエリア
７６  右表示エリア
１００  表示エリア
２００  表示エリア
【要約】
【課題】  異なる２種類のデータ間の主従関係を、ユーザの所望する任意のタイミングで切り替え可能とすること。
【解決手段】  本発明の表示画面は、第１の種類の複数のデータを表示するための第１の表示エリア７２と、第１の種類とは異なる第２の種類の複数のデータを表示するための第２の表示エリア７６と、第１の表示エリアに表示されているデータのうちの何れかが選択されると、第２の表示エリアに表示されているデータのうち、選択されたデータとの紐付け関係を有するデータを表示し、第２の表示エリアに表示されているデータのうちの何れかが選択されると、第１の表示エリアに表示されているデータのうち、選択されたデータとの紐付け関係を有するデータを表示する第３の表示エリア７４と、を備える。
【選択図】図２【図１】
0005990621.tif 000002
【図２】
0005990621.tif 000003
【図３】
0005990621.tif 000004
【図４】
0005990621.tif 000005
【図５】
0005990621.tif 000006
【図６】
0005990621.tif 000007
【図７】
0005990621.tif 000008